(57)【要約】      （修正有）【課題】  ダニが好む布生地等の袋やマット等に粘着シートを包み込み、ダニを多数誘引して粘着シートに捕獲でき、折角誘引したダニの飼育器にならないようにすることにある。【解決手段】  ダニが侵入可能な紙や布地、不織布、プラスチックのシートで座布団状や袋状としてダニの捕獲袋や捕獲マット、捕獲シートを形成したものであって、波形状や凹凸状の表面形状としたダニ捕獲用の粘着シート３を上記ダニ捕獲袋や捕獲マット、捕獲シートの中に装着してダニ捕獲袋や捕獲マット、捕獲シートに内装したダニ誘引剤４でダニを誘引して上記ダニ捕獲用の粘着シート３に捕獲するように形成したものである。【選択図】図２
0003118663.tif 000002
【実用新案登録請求の範囲】
【請求項１】
ダニが侵入可能な紙や布地、不織布、プラスチックのシートで座布団状や袋状としてダニの捕獲袋や捕獲マット、捕獲シートを形成したものであって、
波形状や凹凸状の表面形状としたダニ捕獲用の粘着シートを上記ダニ捕獲袋や捕獲マット、捕獲シートの中に装着してダニ捕獲袋や捕獲マット、捕獲シートに内装したダニ誘引剤でダニを誘引して上記ダニ捕獲用の粘着シートに捕獲するように形成したことを特徴とするダニ捕獲具。
【請求項２】
波形状や凹凸状の表面形状としたダニ捕獲用の粘着シートを上下に配設してその間にダニ誘引剤を付着した紙や布地、不織布のダニ誘引シート材を装着した請求項１に記載のダニ捕獲具。
【請求項３】
波形状や凹凸状の表面形状としたダニ捕獲用の粘着シートがその片面または両面に粘着剤を全面にわたって付着した請求項１または２に記載のダニ捕獲具。
【請求項４】
ダニ誘引剤を毒性のない食餌性誘引物質や臭香性誘引物質で形成した請求項１ないし３のいずれかに記載のダニ捕獲具。
【請求項５】
ダニ捕獲袋や捕獲マット、捕獲シートの中にその全範囲にわたって粘着シートを装着したものである請求項１ないし４のいずれかに記載のダニ捕獲具。
【考案の詳細な説明】
【技術分野】
【０００１】
本考案は、衛生分野における害虫駆除のダニ捕獲具に関するものである。
【背景技術】
【０００２】
近年の住宅環境から、屋内のカーペット、畳、布団、べッド、じゅうたん、自動車のシート等の人が住むどんな場所にもダニが繁殖し、それらがアトビー性皮膚炎、気管支喘息等を誘引する原因であることがきわめて濃厚と考えられている。
【０００３】
そしてまた、生活様式がサッシュ等の洋式化するにつれてダニが生息するのに好都合な環境が作り出され、ダニの繁殖を助長しているとも考えられ、人体に害を及ぼすダニ汚染が年々深刻になってきている。
【０００４】
そのため、ダニの駆除方法として、石油製品の化学物質を混合した殺ダニ剤を散布してダニを殺すことが提案されているが、従来の殺ダニ剤は毒性の強いもので、この薬剤を散布してダニを殺すことは居住環境の汚染という副作用をともなうとともに、子供や赤ん坊に悪影響がある。また、寝具類などに使用できず、ダニ類の一番多くすむところが野放し状態であった。
【０００５】
そこで、本考案者は、綿やメリヤス地、布地のマット状、シート状の捕獲具にダニ誘引捕獲剤を配設してダニを捕獲するダニ誘引捕獲具を開発して市場に提供し、居住環境の汚染をともなうことなく、ダニが近寄りやすい状態にでき、多種類のダニ類を多数誘引して捕獲することができた。
【０００６】
その一手段として粘着剤を使用してダニを粘着して捕獲するダニ捕獲具では、平面状の粘着シートを布生地の袋に包み込むため、粘着シートの粘着部が全面的に布生地に付着してダニを捕獲するための粘着面が少なくなり、また布団やじゅうたん等の下に置いて使用すると、上部からの圧力でさらに布生地が粘着シートの粘着部に付着状態となって粘着作用を発揮できなくなる。そのため、折角誘引したダニが捕獲具内で増殖し、ダニ退治どころか、ダニの飼育器となっているものである。
【０００７】
そこで、上記の点について特許調査した結果、実開昭６３−１０１７９号公報、実開平０３−６７５８８号公報、特開平１０−５２２０６号公報が検索された。
上記実開昭６３−１０１７９号公報は、柔軟な上下面層の間に粘着剤層を塗着したダニ捕獲用シートに係るものである。
また、実開平３−６７５８８号公報は、粘着シートの表面にガーゼをかぶせ、カーペット、畳、ふとんなどの間にはさんでも粘着面がくっつかずに容易に出し入れできるようにしたダニ捕獲粘着シートに係るものである。
さらに特開平１０−５２２０６号公報は、シート状の基材に多数の突起を突設してこの突起部の内側先端に粘着剤を設けるとともにダニ誘引物質を配置し、この基材を粘着剤でスペーサ部材を貼り合わせたダニ捕獲検知シートが提案されている。
【特許文献１】実開昭６３−１０１７９号公報
【特許文献２】実開平０３−６７５８８号公報
【特許文献３】特開平１０−５２２０６号公報
【考案の開示】
【考案が解決しようとする課題】
【０００８】
しかし、実開昭６３−１０１７９号公報は、上下面層の間に粘着剤層を塗着しているため、折角の粘着剤層の広い粘着面を有効に利用することができないとともに、粘着剤層だけではダニを誘引することが容易でない。
また、実開平０３−６７５８８号公報は、粘着シートの表面にガーゼをかぶせて、カーペット、畳、ふとんなどの間にはさんでも粘着面がくっつかずに容易に出し入れできることが提案されているが、上記と同じく折角の粘着剤層の広い粘着面を有効に利用することができないとともに、粘着剤層だけではダニを誘引することが容易でない。
【０００９】
さらに、特開平１０−５２２０６号公報は、コーナー部分を好むダニが集まりやすいように山状の突起部を形成して突起部の先端に粘着剤を設けてダニの捕獲を検知するようにしたものであり、シート状の基材の凹凸部の表面に粘着剤を塗着した粘着シートでなく、多数のダニを捕獲できるものでない。
したがって、ダニ類の一番多くすみ、居住環境を汚染している寝具類やじゅうたん等の下に配設して、ダニを多数誘引して粘着シートに捕獲でき、折角誘引したダニの飼育器にならないダニ捕獲具を開発することが課題であった。
【課題を解決するための手段】
【００１０】
本考案は、上記のような点に鑑みたもので、上記の課題を解決するために、ダニが侵入可能な紙や布地、不織布、プラスチックのシートで座布団状や袋状としてダニの捕獲袋や捕獲マット、捕獲シートを形成したものであって、波形状や凹凸状の表面形状としたダニ捕獲用の粘着シートを上記ダニ捕獲袋や捕獲マット、捕獲シートの中に装着してダニ捕獲袋や捕獲マット、捕獲シートに内装したダニ誘引剤でダニを誘引して上記ダニ捕獲用の粘着シートに捕獲するように形成したことを特徴とするダニ捕獲具を提供するものである。
【００１１】
また、波形状や凹凸状の表面形状としたダニ捕獲用の粘着シートを上下に配設してその間にダニ誘引剤を付着した紙や布地、不織布のダニ誘引用シート材を装着したダニ捕獲具を提供するにある。
【００１２】
また、波形状や凹凸状の表面形状としたダニ捕獲用の粘着シートがその片面または両面に粘着剤を全面にわたって付着したダニ捕獲具を提供するにある。
【００１３】
さらにダニ誘引剤を毒性のない食餌性誘引物質や臭香性誘引物質で形成したダニ捕獲具を提供するにある。
【００１４】
さらにまた、ダニ捕獲袋や捕獲マット、捕獲シートの中にその全範囲にわたって粘着シートを装着したものであるダニ捕獲具を提供するにある。
【考案の効果】
【００１５】
本考案のダニ捕獲具にあっては、波形状や凹凸状の表面形状としたダニ捕獲用の粘着シートを上記ダニ捕獲袋や捕獲マット、捕獲シートの中に装着してダニ捕獲袋や捕獲マット、捕獲シートに内装したダニ誘引剤でダニを誘引して上記ダニ捕獲用の粘着シートに捕獲するように形成することによって、ダニ捕獲用の粘着シートを布地等のダニ捕獲袋や捕獲マット、捕獲シートに挿入して装着しても、粘着シートの表面形状を波形状や凹凸状としているため、その突出部が布地等に当接して大部分が布地に当接せずに残り、誘引剤で誘引したダニを有効に多数捕獲することができ、ダニの飼育器とならずに利用できる。
【００１６】
また、波形状や凹凸状の表面形状としたダニ捕獲用の粘着シートを上下に配設してその間にダニ誘引剤を付着した紙や布地、不織布のダニ誘引用シート材を装着することによって、粘着シートにダニ誘引剤を付着しなくてもよくなり、ダニをより有効に粘着シートに粘着できて捕獲することができる。
【００１７】
また、波形状や凹凸状の表面形状としたダニ捕獲用の粘着シートがその片面または両面に粘着剤を全面にわたって付着しても、上記したように大部分が布地等に当接せずに残り、誘引剤で誘引したダニを有効に捕獲することができ、ダニの飼育器とならずに利用できる。
【００１８】
さらに、ダニ誘引剤を毒性のない食餌性誘引物質や臭香性誘引物質で形成したことによって、石油製品の化学物質で居住環境を汚染せずに安全に居住空間に使用できる。
【００１９】
またさらに、ダニ捕獲袋や捕獲マット、捕獲シートの中にその全範囲にわたって粘着シートを装着することによって、ダニ捕獲袋や捕獲マット、捕獲シートでより多くのダニを捕獲することができる。
【考案を実施するための最良の形態】
【００２０】
本考案のダニ捕獲具は、１０ｃｍ×１２ｃｍ〜３０ｃｍ×５０ｃｍの大きさで、ダニが侵入可能な紙や布地、不織布、プラスチックのシートで座布団状や袋状としてダニの捕獲袋や捕獲マット、捕獲シートを形成したものであって、波形状や凹凸状の表面形状としたダニ捕獲用の粘着シートを上記ダニ捕獲袋や捕獲マット、捕獲シートの中に装着してダニ捕獲袋や捕獲マット、捕獲シートに内装したダニ誘引剤でダニを誘引して上記ダニ捕獲用の粘着シートに捕獲するように形成したことを特徴としている。
【００２１】
ダニ捕獲具１は、図１、図２のようにタオル地やニット地、不織布等のやや粗目の布地、多数の微小孔を開口した紙やプラスチックシートで座布団状や袋状のマット状、シート状の捕獲器本体２として、その内部に波形状や凹凸状の表面形状としたダニ捕獲用の粘着シート３を内装し、ダニ誘引剤４を付着したりして配設してダニを誘引して捕獲できるように形成している。
【００２２】
捕獲器本体２は、ダニが侵入可能な和紙、布生地、不織布、樹脂などの通気性を有する材料が利用でき、折り曲げたり、重ね合わせたりしてその三辺や四辺の周部を縫合して座布団状や袋状とし、ダニの捕獲袋や捕獲マット、捕獲シートを形成している。
【００２３】
そして、その中に図２のように波形状や凹凸状の表面形状としたダニ捕獲用の粘着シート３を袋やマット、シートの全範囲にわたる大きさとして内装し、ダニ誘引剤４によって誘引したダニを粘着して捕獲するようにしている。粘着シート３は、たとえば図３のように濾過用紙などのような通気性を有する和紙、不織布、樹脂等のシートを波形状の断面として凹凸面状の突出部５を有する表面形状とし、その片面側や両面側に粘着性を失わない位にダニ誘引剤４を均一または適宜の間隔で付着することができる。
【００２４】
上記波形状や凹凸状の突出部５としては、３〜１０ｍｍ、好ましくは３〜５ｍｍ位のピッチの小ピッチのものとするのが布団やじゅうたん等の下に置いて使用しても、上からの圧力で粘着シート３の突出部５がへこまずに維持するようにできて好ましい。
【００２５】
また、図３のように波形状や凹凸状の表面形状としたダニ捕獲用の粘着シート３を上下に配設してその間にダニ誘引剤４を付着した紙や布地、不織布のダニ誘引シート材６を装着することができ、このようにすると、粘着シート３を配設してもダニ誘引剤４を付着した紙や布地、不織布のダニ誘引用シート材６によって、粘着シート３にダニ誘引剤４を付着しなくてもよくなり、多くのダニをより有効に粘着シート３に付着して捕獲することができる。
【００２６】
また、粘着シート３には、図４のように角形状の凹凸状の突起部５を設けたり、図５のように半円筒状や半球面状の突起部５を設けることもでき、本考案の趣旨にもとづいて適宜の変形態様を実施することができる。
【００２７】
また、ダニ誘引剤４としては、毒性のない食餌性誘引物質や毒性のない臭香性誘引物質、その他の誘引物質を添加し、より多くの種類のダニ類を誘引するようにできる。このような食餌性誘引物質と臭香性誘引物質とその他の誘引物質は、混合して微粉末１〜１００μ、好ましくは１〜１０μ程度に粉砕してダニ誘引剤とすることができる。粘着シート３に付着するには微粉末状が好ましい。
【実施例】
【００２８】
図１〜図３は、本考案の一実施例を示すもので、ダニ捕獲具１は、１５ｃｍ×１８ｃｍの大きさの粗目の布地を二枚重ねて周囲を縫着したマット状のもので、その間に毒性のない食餌性誘引物質や毒性のない臭香性誘引物質の人に無害の粉末状のダニ誘引剤４を付着した濾過用紙で、５ｍｍピッチで波形状として凹凸面の突起部５の表面とした粘着シート３を挟み込んで形成したものである。
【００２９】
このダニ捕獲具１を布団の下に置いて試用した結果、試用開始４週間後において多数のダニが粘着シートに捕獲されたが、生存ダニが全く残存せず、ダニの増殖抑制率は１００％であった。試用開始６週間後および３ヶ月後においても生存ダニは全く観察されなかった。このように本考察の目的は達成された。
【００３０】
なお、粘着シート３は、図４のように角形状の凹凸状の突起部５を設けたり、図５のように半円筒状や半球面状の突起部５を設けても、同様にしても本考察の目的を達成できる。
【図面の簡単な説明】
【００３１】
【図１】本考案の一実施例の平面図、
【図２】同上の側断面図、
【図３】同上の粘着シートの一部省略した拡大側断面図、
【図４】同上の他の実施例の一部省略した要部拡大側断面図、
【図５】同上のさらに他の実施例の粘着シートの一部省略した拡大側断面図、
【図６】同上のさらに他の実施例の粘着シートの一部省略した拡大側断面図。
【符号の説明】
【００３２】
１…ダニ捕獲具      ２…捕獲器本体        ３…粘着シート    ４…ダニ誘引剤
５…突起部          ６…ダニ誘引シート剤
【図１】
0003118663.tif 000003
【図２】
0003118663.tif 000004
【図３】
0003118663.tif 000005
【図４】
0003118663.tif 000006
【図５】
0003118663.tif 000007
【図６】
0003118663.tif 000008